(57)【要約】【課題】ガイドローラに付着した汚れを除去することができるテープドライブを提供する。【解決手段】テープドライブＤは、ガイドローラ４の近傍に配置されたクリーニング部５を備えている。このクリーニング部５が、ガイドローラ４のローラ部４１と摺接してクリーニングを行う。また、ブラシ５２は、ローラ部４１の回転軸方向における端部と摺接する部分が他の部分よりも突出して形成されている。【選択図】  図２
2004342139.tif 000002
【特許請求の範囲】
【請求項１】
テープの走行を案内するためのガイドローラを備えたテープドライブであって、前記ガイドローラのローラ部と摺接して、前記ローラ部を清掃するクリーニング部を設けたことを特徴とするテープドライブ。
【請求項２】
前記クリーニング部は、前記ローラ部と摺接するブラシを備えていることを特徴とする請求項１記載のテープドライブ。
【請求項３】
前記ブラシは、前記ローラ部の回転軸方向における端部と摺接する部分が、他の部分よりも突出して形成されていること特徴とする請求項２記載のテープドライブ。
【請求項４】
前記ブラシは、前記ローラ部の回転軸方向における端部と摺接する部分が、他の部分よりも緊密に形成されていること特徴とする請求項２または３記載のテープドライブ。
【請求項５】
前記ブラシは、前記ローラ部の回転軸方向における端部と摺接する部分に、前記ブラシによって前記端部から掃き出される汚れを捕捉するための起毛部を設けたことを特徴とする請求項２から４のいずれか一項に記載のテープドライブ。
【請求項６】
前記クリーニング部は、前記ガイドローラに対して移動可能に構成されていることを特徴とする請求項１から５のいずれか一項に記載のテープドライブ。
【発明の詳細な説明】
【０００１】
【発明の属する技術分野】
本発明はテープドライブに関し、さらに詳しくは、テープドライブに備えられたガイドローラのローラ部に付着した汚れを除去することができるテープドライブに関するものである。
【０００２】
【従来の技術】
テープドライブでは、磁気テープがガイドローラと磁気ヘッドに接して走行するが、そのときに発生した塵埃や、磁気テープから脱落した磁性粉等の汚れがガイドローラと磁気ヘッドとに付着する。この汚れが磁気ヘッドに蓄積された場合、磁気ヘッドのギャップを埋めてヘッドの目詰まりを招いたり、磁気テープを傷つけたりして信号のドロップアウトの原因となる。これらを防止するため、従来、磁気ヘッドに付着した磁性紛や塵埃等の汚れについては、テープドライブに設けられたクリーニング装置によって除去していた。
【０００３】
この種の従来のテープドライブとしては、例えば特許文献１に開示されているものがある。この従来のテープドライブは、テープの走行を案内する固定ドラムと、磁気ヘッドを備えた回転ドラムと、前記磁気ヘッドをクリーニングするためのクリーニングローラを設けた構成からなり、前記クリーニングローラを前記回転ドラムと平行に接触させて前記磁気ヘッドのクリーニングを行っている。
【特許文献１】
特開２００１−３２５７０６号公報（第８頁、第１図）
【０００４】
【発明が解決しようとする課題】
しかしながら、従来のテープドライブでは、テープドライブのガイドローラのローラ部に、塵埃や、磁性粉等の汚れが蓄積すると、磁気テープが、ローラ部に蓄積した汚れに乗り上げるため、磁気テープの走行安定性が損なわれるという問題があった。
【０００５】
そこで、本発明は、ガイドローラのローラ部に付着した汚れを除去することができるテープドライブを提供することを課題とする。
【０００６】
【課題を解決するための手段】
【０００７】
請求項１に記載の発明は、テープの走行を案内するためのガイドローラを備えたテープドライブであって、前記ガイドローラのローラ部を清掃するクリーニング部を設けている。
【０００８】
請求項２に記載の発明は、請求項１の発明において、クリーニング部は、前記ガイドローラのローラ部と摺接するブラシを備えている。
【０００９】
請求項３に記載の発明は、請求項２の発明において、ブラシは、ローラ部の回転軸方向における端部と摺接する部分が、他の部分よりも突出して形成されている。
【００１０】
請求項４に記載の発明は、請求項２または３の発明において、ブラシは、ローラ部の回転軸方向における端部と摺接する部分が、他の部分よりも緊密に形成されている。
【００１１】
請求項５に記載の発明は、請求項２から４のいずれか一項の発明において、ブラシは、ローラ部の回転軸方向における端部と摺接する部分に、前記ブラシによって前記端部から掃き出される汚れを捕捉するための起毛部を設けている。
【００１２】
請求項６に記載の発明は、請求項１から５のいずれか一項の発明において、クリーニング部は、前記ガイドローラに対して移動可能に構成されている。
【００１３】
以上の構成により、ガイドローラのローラ部に付着した汚れを除去することができるテープドライブを提供できる。
【００１４】
【発明の実施の形態】
以下、本発明に係るテープドライブの一実施の形態について、適宜図面を参照して詳細に説明する。参照する図面において、図１は、テープドライブＤの構成を模式的に示した図である。また、図２は、図１に示したテープドライブＤに含まれるガイドローラ４及びクリーニング部５を示す斜視図である。また、図３は、ガイドローラ４に対してクリーング部５が移動可能に構成されていること説明するための図であり、（ａ）はクリーニング部５がガイドローラから離れている状態を示し、（ｂ）はクリーニング部５がガイドローラ４に接している状態を示す。また、図４は、図２におけるＡ矢視図である。なお、図４では、ガイドローラ４とクリーニング部５を離した状態で図示している。
【００１５】
図１に示すように、テープドライブＤは、送出リール１、巻取リール２、磁気ヘッド３、ガイドローラ４、クリーニング部５を備えている。以下、テープドライブＤの各部について説明する。
【００１６】
送出リール１は、磁気テープＭＴを巻回しており、図示しない駆動装置により回転駆動されて、磁気テープＭＴを送り出す。巻取リール２は、図示しない駆動装置により回転駆動されて、送出リール１から送り出された磁気テープＭＴを巻き取る。磁気ヘッド３は、磁気テープＭＴに信号を記録する、又は磁気テープＭＴに記録されている信号を再生する。
【００１７】
ガイドローラ４は、磁気テープＭＴの走行を案内するためのものであり、図２に示すように、磁気テープＭＴと接するローラ部４１と、このローラ部４１と一体に回転して磁気テープＭＴのエッジのテープ幅方向への変動を規制するフランジ部４２，４２とから構成されている。
【００１８】
クリーニング部５は、ガイドローラ４のローラ部４１に付着した汚れを除去するためのものであり、図２に示すように、基部５１と、基部５１に取り付けられたブラシ５２とから構成されている。このクリーニング部５は、磁気テープＭＴの走行の邪魔にならないように、ガイドローラ４の近傍に配置される。
【００１９】
また、クリーニング部５は、図３に示すように、ガイドローラ４に対して近接、離間する方向に移動可能に構成されている。この移動はクリーニング部５に備えられた図示しないアクチュエータにより行われる。この場合、ガイドローラの汚れを光センサにより監視し、この光センサで所定量の汚れがガイドローラに付着したことを検出した際に、クリーニング部５がガイドローラ４に対して離間した退避位置（図３（ａ）参照）からガイドローラ４へ接近し、ガイドローラ４と摺接するクリーニング位置（図３（ｂ）参照）に移動して、ガイドローラ４のクリーニングを行うように構成するとよい。
なお、クリーニング部５は、ガイドローラ４に対して移動しなくてもよく、固定されて常にガイドローラ４と接触するように配設してもよい。
【００２０】
また、図４に示すように、クリーニング部５のブラシ５２は、ローラ部４１の回転軸方向における端部と摺接する部分が他の部分よりも突出して形成されている。つまり、ブラシ５２の両端部５２ａ，５２ａは、中間部５２ｂより突出して形成されている。
【００２１】
このとき、汚れの付着しやすいローラ部４１の端部４１ａ，４１ａに対して、ブラシ５２の端部５２ａ，５２ａを強く押し付けることができるので、ローラ部４１の端部４１ａ，４１ａに付着した汚れを確実に除去することができる。すなわち、ガイドローラ４の汚れを効率よく除去することができる。
【００２２】
次に、ブラシ５２の変形例について説明する。図５は、ブラシ５２の変形例を示す図であり、（ａ）は、端部を緊密に形成したブラシ５３を示す図である。（ｂ）は、端部を長く、かつ緊密に形成したブラシ５４示す図である。（ｃ）は、端部を長く、かつ緊密に形成すると共に、端部に刷毛を設けたブラシ５５を示す図である。
【００２３】
図５（ａ）に示すブラシ５３と、図５（ｂ）に示すブラシ５４は、ローラ部４１の回転軸方向における端部と摺接する部分が他の部分よりも緊密に形成されている。すなわち、ブラシ５３（ブラシ５４）の端部５３ａ，５３ａ（端部５４ａ，５４ａ）は、中間部５３ｂ（中間部５４ｂ）より緊密に形成されている。
このように形成されたブラシ５３（ブラシ５４）によれば、汚れが付着し易いローラ部４１ａ，４１ａ（図４参照）に対して中間部５３ｂ（中間部５４ｂ）よりも緊密に形成されたブラシ５３（ブラシ５４）の端部５３ａ，５３ａ（端部５４ａ，５４ａ）が押し付けられるのでローラ部４１の端部４１ａ，４１ａに付着した汚れを確実に除去することができる。
【００２４】
図５（ｃ）に示すブラシ５５は、ローラ部４１の回転軸方向における端部と摺接する部分に、前記ブラシによって前記端部から掃き出される汚れを捕捉するための起毛部５５ａ，５５ａが設けられている。このように構成されたブラシ５５によれば、ガイドローラ４のフランジ部４２に付着した汚れを除去する際に、この汚れがブラシ５５とフランジ部４２との摺接作用によりフランジ部４２の外側へ掃き出されることがあっても、起毛部５５ａ，５５ａがフランジ部４２の外側で捕捉してこれを保持できる。
【００２５】
以上、本発明の一実施の形態について説明したが、本発明はこのような実施の形態にのみ限定されるものではなく、本発明の技術的思想に基づく限りにおいて、種々の変形が可能である。
【００２６】
例えば、本実施の形態では、クリーニング部５は、ブラシを備えた構成としたが、この他に、テープを用いることも可能である。この場合、クリーニング部５は、図６に示すように、ガイドローラ４の近傍に複数の回転ローラ５６，５６，５６を配置し、それらの回転ローラ５６，５６，５６にクリーニングテープ５７を掛け渡した構成とする。そして、ガイドローラ４のクリーニングは、ガイドローラ４のローラ部４１にクリーニングテープ５７を摺接させることにより行われる。
【００２７】
【発明の効果】
以上、説明したように、本発明によれば、ガイドローラのローラ部に付着した汚れを除去することができるテープドライブを提供することができる。
【図面の簡単な説明】
【図１】テープドライブＤの構成を模式的に示した図である。
【図２】図１に示したテープドライブＤに含まれるガイドローラ４及びクリーニング部５を示す斜視図である。
【図３】ガイドローラ４に対してクリーング部５が移動可能に構成されていることを説明するための図である。
【図４】図２におけるＡ矢視図である。
【図５】図４に示したブラシ５２の変形例を示す図である。
【図６】図１に示したクリーニング部５をテープ機構５Ｄとした構成を示す図である。
【符号の説明】
Ｄ      テープドライブ装置
１      送出リール
２      巻取リール
３      磁気ヘッド
４      ガイドローラ
４１    ローラ部
４２    フランジ部
５      クリーニング部
５１    基部
５２    ブラシ
ＭＴ    磁気テープ
【図１】
2004342139.tif 000003
【図２】
2004342139.tif 000004
【図３】
2004342139.tif 000005
【図４】
2004342139.tif 000006
【図５】
2004342139.tif 000007
【図６】
2004342139.tif 000008